(57)【要約】【課題】  測定結果を含む複数の表示項目を臨床プロトコルに合わせて任意に特定することが可能な活動量計を提供する。【解決手段】  活動量計１は、操作部６と、活動量を測定する活動量測定手段（加速度検出部１５及び演算回路１１）と、活動量測定手段で測定された測定結果を含む複数の表示項目を表示する表示部２と、表示部２に表示される表示項目を特定する表示項目特定手段とを備える。表示項目特定手段はＰＣとの通信により表示項目の特定を行うものである。表示項目は、歩数、消費カロリー、歩行距離、脂肪燃焼量、歩行速度、運動強度、歩行ピッチ、一定の運動強度以上の歩数、時間、エクササイズである。表示項目特定手段により、それらのうち１つのみ又は複数を表示するように、或いは全く表示しない（時刻のみ表示する）ように特定することが可能である。【選択図】      図１
2009180503.tif 000002
【特許請求の範囲】
【請求項１】
操作手段と、
活動量を測定する活動量測定手段と、
前記活動量測定手段で測定された測定結果を含む複数の表示項目を表示する表示手段と、を備えた活動量計において、
前記表示項目のうち、前記活動量計の被測定者が見ることができる表示項目を特定する表示項目特定手段、
を更に備えたことを特徴とする活動量計。
【請求項２】
前記表示項目特定手段は、パーソナルコンピュータとの通信により、前記表示項目の特定を行うものであることを特徴とする請求項１記載の活動量計。
【請求項３】
前記表示項目特定手段は、前記操作手段の通常操作とは異なる特殊な操作により、前記表示項目の特定を行うものであることを特徴とする請求項１記載の活動量計。
【請求項４】
前記表示項目特定手段は、携帯電話との通信により、前記表示項目の特定を行うものであることを特徴とする請求項１記載の活動量計。
【請求項５】
前記表示項目特定手段は、インターネットを介して外部機器により、前記表示項目の特定を行うものであることを特徴とする請求項１記載の活動量計。
【請求項６】
前記表示手段の表示項目は、少なくとも、歩数、消費カロリー、歩行距離、脂肪燃焼量、歩行速度、運動強度、歩行ピッチ、一定の運動強度以上の歩数、時間、エクササイズのいずれかであることを特徴とする請求項１、請求項２、請求項３、請求項４又は請求項５記載の活動量計。
【請求項７】
前記測定結果を所定値と比較する比較手段を備え、前記表示項目特定手段は、前記比較手段による比較結果に応じて前記表示項目を特定することを特徴とする請求項１、請求項２、請求項３、請求項４、請求項５又は請求項６記載の活動量計。
【請求項８】
測定開始からの経過時間を計時する計時手段と、前記計時手段で計時された経過時間を所定値と比較する比較手段とを更に備え、前記表示項目特定手段は、前記比較手段による比較結果に応じて前記表示項目を特定することを特徴とする請求項１、請求項２、請求項３、請求項４、請求項５、請求項６又は請求項７記載の活動量計。
【請求項９】
前記測定結果を外部に出力する出力手段を更に備えたことを特徴とする請求項１、請求項２、請求項３、請求項４、請求項５、請求項６、請求項７又は請求項８記載の活動量計。
【請求項１０】
前記表示手段は、前記操作手段の通常操作とは異なる特殊な操作により、前記特定されている表示項目以外の表示項目を表示することを特徴とする請求項１、請求項２、請求項３、請求項４、請求項５、請求項６、請求項７、請求項８又は請求項９記載の活動量計。
【発明の詳細な説明】
【技術分野】
【０００１】
本発明は、歩数、消費カロリー、歩行距離等の活動量を測定し、その測定結果を含む複数の表示項目を表示する活動量計に関し、特に表示項目を任意に特定することができる活動量計に関する。
【背景技術】
【０００２】
歩数、消費カロリー、歩行距離等の活動量を測定する従来の活動量計は、スイッチ操作などにより、計測した歩数、消費カロリー、歩行距離等の値を表示手段（ＬＣＤ）において切り替えて表示するものである。それにより、使用者は表示結果を見ることで日常生活での活動に対するモチベーションを上げたり保ったりすることができる。
【０００３】
しかしながら、そのような活動量計を研究の臨床目的などで使用する場合は、モチベーションが上がることによって、通常より多く或いは早く活動してしまうことがある。このような場合、本来収集したい研究データとは違う測定結果を収集してしまう可能性があり、正確な研究が阻害されてしまうことになる。
【０００４】
例えば、メタボリック症候群の検査を行うために、被験者に活動量計を持たせて歩数、消費カロリー、歩行距離等のデータを収集する場合、被験者は表示された測定結果を見ることでもっと良いデータが得られるように活動量を意図的に増やしたりすることがある。本来、正確な検査を行うには被験者が日常生活で平常の活動を行うときに得られるデータを収集する必要があるが、モチベーションの高まりにより普段よりも増えた活動量に基づくデータでは、被験者の今後の生活に対して正確なアドバイスを出せないことになる。
【０００５】
このような問題点に対して、表示部と本体を分離し、測定中は本体機器のみを携帯し、情報（測定結果）を取り出すときにのみ本体機器と表示部のある機器とを合体させて情報を見るようにした歩数計がある（例えば、特許文献１参照）。
【特許文献１】実用新案登録第３０４７７７５号公報
【発明の開示】
【発明が解決しようとする課題】
【０００６】
上記特許文献１記載の歩数計では、測定中（携帯時）は歩数を見ることができないので、現在の歩数が分からず、より多く歩くためにモチベーションを上げたり維持し難く、その意味では普段の日常生活におけるデータが得られ易いかもしれない。
【０００７】
しかしながら、反対に歩数等の測定結果を見せることを目的とした臨床プロトコルには使用できないという問題を抱えている。
【０００８】
従って、本発明は、そのような問題点に着目してなされたもので、測定結果を含む複数の表示項目を臨床プロトコルに合わせて任意に特定することが可能な活動量計を提供することを目的とする。
【課題を解決するための手段】
【０００９】
前記目的を達成するために、本発明の活動量計は、操作手段と、活動量を測定する活動量測定手段と、前記活動量測定手段で測定された測定結果を含む複数の表示項目を表示する表示手段と、を備えたものにおいて、前記表示項目のうち、前記活動量計の被測定者が見ることができる表示項目を特定する表示項目特定手段、を更に備えたことを特徴とする。
【００１０】
この活動量計において、具体的な表示項目特定手段は、パーソナルコンピュータ（以下、ＰＣ）との通信（無線／有線）により表示項目の特定を行うもの、操作手段の通常操作とは異なる特殊な操作（複数のスイッチの操作、操作回数などの組み合わせ）により表示項目の特定を行うもの、携帯電話との通信（無線／有線）により表示項目の特定を行うもの、インターネット（無線ＬＡＮ、有線ＬＡＮ）を介して外部機器（携帯端末、ＰＣ、テレビ）により表示項目の特定を行うものである。
【００１１】
また、表示手段の表示項目は、少なくとも、歩数、消費カロリー、歩行距離、脂肪燃焼量、歩行速度、運動強度、歩行ピッチ、一定の運動強度以上の歩数、時間、エクササイズのいずれかである。
【００１２】
更に、活動量計は、測定結果を所定値と比較する比較手段を備え、表示項目特定手段は、比較手段による比較結果に応じて表示項目を特定するものであってもよい。
【００１３】
又は、活動量計は、測定開始からの経過時間を計時する計時手段と、計時手段で計時された経過時間を所定値と比較する比較手段とを更に備え、表示項目特定手段は、比較手段による比較結果に応じて表示項目を特定するものであってもよい。
【００１４】
この他、測定結果を外部に出力する出力手段を更に備えていることが好ましい。
【００１５】
また、表示手段は、操作手段の通常操作とは異なる特殊な操作により、特定されている表示項目以外の表示項目を表示するものであっても構わない。
【００１６】
なお、本発明において、活動量は、歩数、消費カロリー、歩行距離、脂肪燃焼量、歩行速度、運動強度、歩行ピッチ、一定の運動強度以上の歩数、エクササイズ等を指す。測定結果を含む複数の表示項目は、そのような活動量の測定結果に加えて時間を含む。
【発明の効果】
【００１７】
本発明によれば、表示手段に表示される表示項目を表示項目特定手段により臨床プロトコルに合わせて任意に特定することが可能である。
【００１８】
臨床目的に応じて普段の生活で得られる活動量を正確に計測できる。
【００１９】
臨床目的に応じて普段の生活よりも多い活動量が得られるようにモチベーションを高めたり維持することができる。
【発明を実施するための最良の形態】
【００２０】
以下、本発明を実施形態に基づいて説明する。
【００２１】
その実施形態に係る活動量計のブロック図を図１に示す。なお、活動量計の平面図（上面図）は図１１の（ｂ）に示す通りである。
【００２２】
この活動量計１は、図１１の（ｂ）に示すように、筐体の表側に表示部（表示手段）２、スイッチ３，４，５からなる操作部（操作手段）６を有し、筐体の裏側に当該活動量計１を衣服やベルト等に取り付けるための筐体クリップ８を有する。また、活動量計１は、制御部（ＣＰＵ）１０、電源部１２、電源切替部１３、加速度検出部１５、メモリ部１６、通信部１７を内蔵する。
【００２３】
表示部２は、例えばＬＣＤであり、測定結果を含む複数の表示項目として歩数、消費カロリー、歩行距離、脂肪燃焼量、歩行速度、運動強度、歩行ピッチ、時間、エクササイズを表示する。操作部６のスイッチ３は、メモリ部１６に記憶された、例えば１週間分の歩数、消費カロリー、歩行距離等の測定結果を表示するためのもので、スイッチ４は、時計の設定数値、個人情報（年齢・身長・体重等）の数値を切り替えるためのもので、スイッチ５は、表示部２の表示の切替や決定を行うためのものである。
【００２４】
ＣＰＵ１０は、各部を統括制御し、歩数、消費カロリー、歩行距離、脂肪燃焼量、歩行速度、運動強度、歩行ピッチ等を計算する演算回路１１を有する。電源部１２は、当該活動量計１に設けられた電池（ボタン電池）であり、ＣＰＵ１０に電源を供給する。電源切替部１３は、当該活動量計１をＰＣにＵＳＢケーブルで接続したときにＰＣからの給電に切り替える。
【００２５】
加速度検出部１５は、当該活動量計１の携帯時に体動を検出し、ＣＰＵ１０は、その検出信号に基づいて演算回路１１により歩数、消費カロリー、歩行距離、脂肪燃焼量、歩行速度、運動強度、歩行ピッチ等を計算し、この計算値を測定結果として表示部２に表示する。メモリ部１６は、ＣＰＵ１０による測定結果を記憶する。この活動量計１では、加速度検出部１５と演算回路１１を含むＣＰＵ１０とで活動量測定手段が構成される。
【００２６】
図１の例では、通信部１７は、パーソナルコンピュータ（ＰＣ）と接続してＰＣとデータの送受信を行うためのもので、ＰＣとは例えばＵＳＢケーブルで接続される。この場合は、通信部１７とＰＣにより、表示部２に表示される測定結果を含む複数の表示項目を特定する表示項目特定手段が構成される。なお、通信部１７とＰＣは有線（ＵＳＢケーブル）で接続する以外に無線で接続してもよいのは勿論である。
【００２７】
通信部１７と外部機器により表示項目特定手段を構成する場合は、例えば図２に示すようなシステムとなる。このシステムによると、複数（ここでは３つ）の活動量計１ａ，１ｂ，１ｃがそれぞれ通信部１７を介して外部機器（携帯電話又はＰＣ）３１，３２，３３と接続され、更に外部機器３１〜３３がインターネット３０に接続され、インターネット３０には活動量管理用サーバ３５も接続されている。外部機器３１〜３３は、それぞれ対応の活動量計１ａ，１ｂ，１ｃの歩数、消費カロリー、歩行距離等の測定結果（測定データ）を記憶・管理し、活動量管理用サーバ３５は、各外部機器３１〜３３からの測定データをインターネット３０により収集して保存・管理する。
【００２８】
通信部１７と携帯電話により表示項目特定手段を構成する場合は、例えば図３に示すようなシステムとなる。このシステムによると、複数（ここでは２つ）の活動量計１ａ，１ｂがそれぞれ通信部１７に接続されたケーブル４１を介してデータ転送装置４２に接続され、データ転送装置４２に設けられたカードスロットに携帯電話４３（インターネット５０に接続するための通信機能を有するもの）が装着されている。インターネット５０には、活動量計１ａ，１ｂの測定データを保存・管理するサーバ５１と、このサーバ５１に蓄積された測定データを医師が分析するために用いるドクター用ＰＣ５２とが接続されている。
【００２９】
上記のように構成した活動量計１は、表示部２に表示される表示項目を特定することが特徴であり、次にその表示項目の特定について説明する。
【００３０】
まず、表示項目が歩数だけである臨床の場合を図４に示す。この場合、ＰＣと活動量計１はＵＳＢケーブル２０で接続され、ＰＣの専用アプリケーションから活動量計１の表示部２の表示項目を“歩数”のみに設定する。従って、設定後の活動量計１の表示部２には歩数だけしか表示されないので、当該活動量計１を所持した使用者（被験者）は歩数しか見ることができない。
【００３１】
この例では、歩数を意識することになるので、歩数についてはモチベーションを高めたり維持することができる。従って、歩数を増やす活動をしてほしい臨床（日常生活で歩数を多くしてほしい研究）に有効である。
【００３２】
表示項目は何も見せたくない臨床の場合（時刻のみを表示する場合）を図５に示す。この場合は、ＰＣの専用アプリケーションから活動量計１の表示部２の表示項目を時計のみに設定することで、測定結果とは直接関係ない時刻が表示されることになる。従って、設定後の活動量計１の表示部２には時刻だけしか表示されないので、当該活動量計１を所持した使用者は時刻しか見ることができない。
【００３３】
この例では、時刻以外に測定結果は何も分からないので、使用者は活動量についてモチベーションを高めたり維持し難く、その結果、全活動量について平常の生活で得られるデータを収集し易く、できる限り普段のデータが必要である臨床に有効であり、そのような臨床を正確に行うことができる。
【００３４】
次に、表示項目が歩数と消費カロリーだけである臨床の場合を図６に示す。この場合、ＰＣの専用アプリケーションから活動量計１の表示部２の表示項目を“歩数”及び“消費カロリー”のみに設定する。活動量計１の表示部２には、スイッチ５を押すたびに歩数と消費カロリーが切り替わって表示される。従って、設定後の表示部２には歩数又は消費カロリーだけしか表示されないので、当該活動量計１を所持した使用者は歩数又は消費カロリーしか見ることができない。
【００３５】
この例では、歩数と消費カロリーを意識することになるので、歩数及び歩数に連関する消費カロリーに関してはモチベーションをより高めたり維持することができる。従って、歩数を増やす活動をしてほしい臨床に有効であるだけでなく、歩数の意識と消費カロリーの意識との相乗作用によりモチベーションをより長く持続することができる。
【００３６】
なお、図６の例では、歩数と消費カロリーのうち、どの測定結果を一番よく見たかをメモリ部１６に記憶しておき、測定後にその記憶内容に基づいて、次回の表示設定の参考にしてもよい。
【００３７】
図４〜図６の例は、表示項目特定手段がＰＣとの通信により表示項目の特定を行うものであるが、表示項目特定手段が操作部６（スイッチ３〜５）の通常操作とは異なる特殊な操作（複数のスイッチの操作、操作回数などの組み合わせ）により表示項目の特定を行うものである場合を図７に示す。
【００３８】
各スイッチ３，４，５は、通常操作（単独で１回押したり、複数回続けて押す操作）により前記機能を使用することができるが、図７の例は、そのような通常操作と異なる特殊な操作により、表示部２の表示項目を歩数だけとする場合である。
【００３９】
具体的にその表示項目の設定の仕方は、まずスイッチ３，４を押しながらスイッチ５を２回押す（左図）。これにより、表示部２には“歩数のみ”と“時計のみ”が表示されるので（右上図）、スイッチ３，４で選択し、スイッチ５を押して決定する。ここでは“歩数のみ”を決定することとする。
【００４０】
従って、設定後の活動量計１の表示部２には歩数だけしか表示されないので、当該活動量計１を所持した使用者は歩数しか見ることができない。この例では、活動量計１において、使用者が通常使用では行わない操作をすることにより表示項目を設定するので、ＰＣが不要である。
【００４１】
また、図７のように、表示項目特定手段が操作部６の通常操作とは異なる特殊な操作により表示項目の特定を行うものである場合、その特殊な操作を特定の人だけが利用する使い方が可能となる。すなわち、使用者がその特定の表示項目以外の表示項目を見ようとしても、通常操作とは異なる特殊な操作をしなければならないので、使用者はその特殊な操作方法を知らない限り特定の表示項目以外の表示項目を見ることができない。このため、特定の表示項目以外の表示項目を見てもよい研究者や医師が特殊な操作方法を認識しておけば、その特殊な操作方法を実行することで、表示部２に特定の表示項目以外の表示項目が表示されるので、研究者や医師はその表示項目を知見データとして研究や診断等に活用することが可能である。
【００４２】
このような活動量計１は、表示部２の表示項目を特定可能であるため、同じ活動量計１であっても表示項目を変えることで様々な臨床プロトコルに対応できる。その具体例を図８に示す。
【００４３】
図８では、表示項目を歩数のみに設定した活動量計１Ａを、臨床プロトコルＡの対象である歩数のみを見せる被験者群に持たせ、表示項目を時計（時刻）のみに設定した活動量計１Ｂを、臨床プロトコルＢの対象である測定結果を見せない（時計のみを見せる）被験者群に持たせ、表示項目を消費カロリーのみに設定した活動量計１Ｃを、臨床プロトコルＣの対象である消費カロリーのみを見せる被験者群に持たせる。すなわち、同じ活動量計であっても、臨床プロトコルＡ，Ｂ，Ｃに応じて表示項目の異なる３種類の活動量計１Ａ，１Ｂ，１Ｃを用意することになる。
【００４４】
この活動量計１によれば、表示項目を変更することで、臨床プロトコルの数に関わらず、同じ活動量計１であっても簡単に対応することができる。
【００４５】
次に、ＰＣとの通信により活動量計１の表示部２の表示項目を特定する場合の仕方について説明する。図９の（ａ）において、前記した通り、まずＰＣと活動量計１をＵＳＢケーブル２０で接続する。次いで図９の（ｂ）に示すように、ＰＣの画面でアプリケーションの本体設定ボタン（円印部分）を押す。すると、図１０のような活動量計設定画面に切り替わるので、画面上の矢視で示す“ＬＣＤ表示モード”の中で見せたい表示項目を選択する（チェックする）。選択後、設定実行ボタンを押すと、図１１の（ａ）に示すような画面になり、表示項目の設定が終了する。
【００４６】
その後、活動量計１をＵＳＢケーブル２０から外すと、図１１の（ｂ）のように、活動量計１の表示部２には、設定した表示項目（ここでは歩数のみ）が表示されることになる。
【００４７】
次に、活動量計１の表示部２に表示される表示項目を特定する意義について、実施例１，２により説明する。
〔実施例１〕
この実施例１では、歩数の表示を制限する場合について説明する。歩数の表示を制限するのは、例えば被験者の生活習慣病予防のために行う。この場合、普段の生活の歩数を計測する実験（１）と意識的に歩数を上げて生活させる実験（２）を実施する。実験（１）（２）の結果を基に、歩数を上げることによって生活習慣病にウォーキングの効果があるか研究する。
【００４８】
ここに、実験（１）において、歩数が常時表示される通常の歩数計を持たせると、被験者は歩数計に表示される歩数を意識し、歩数を増やそうと努力することで、普段の生活における歩数が正しく計測できない可能性がある。反対に、実験（２）において、歩数が表示されない歩数計であれば、歩数が分からないことでモチベーションが高まらず（又は維持し難く）、被験者に意識的に歩数を増やしてもらうのが難しくなってくる。
【００４９】
そこで、上記の通り、この実施形態の活動量計では、被験者には操作できない、表示項目を制限、制限解除する機能を設けてある。つまり、表示項目を特定することに意義がある。
【００５０】
具体的には、実験（１）を行うため研究者は活動量計の表示部の表示項目を制限する。制限の仕方は、前記したように活動量計をＰＣに接続し、専用アプリケーションから活動量計の表示項目を「時計のみ表示」に設定する（図９〜図１１参照）。この活動量計「時計のみ表示」は、単体では歩数などの測定結果を見ることができない。この活動量計「時計のみ表示」を被験者に配布する。被験者は或る一定期間（例えば１ヶ月）、活動量計「時計のみ表示」を装着し、普段の生活を過ごす。
【００５１】
一定期間終了後、研究者は被験者から活動量計「時計のみ表示」を回収し、歩数データを収集する。データ収集方法は、活動量計「時計のみ表示」をＰＣに接続し、専用アプリケーションからのダウンロードで行う。研究者は、収集した歩数データに基づいて被験者の健康診断を行う。
【００５２】
一方、実験（２）を行うために研究者は活動量計の表示項目の制限を解除する。制限解除の仕方は、上記と同様に活動量計をＰＣに接続し、専用アプリケーションから活動量計の表示項目を「歩数のみ表示」に設定する。この活動量計「歩数のみ表示」は、単体では測定結果として歩数のみを見ることができる。この活動量計「歩数のみ表示」を被験者に配布する。被験者は或る一定期間（例えば１ヶ月）、活動量計「歩数のみ表示」を装着し、普段の生活よりも歩数が増えるように意識的に多く歩いてもらう（ウォーキングしてもらう）よう生活してもらう。
【００５３】
一定期間終了後、研究者は被験者から活動量計「歩数のみ表示」を回収し、歩数データを収集する。データ収集方法は、上記と同様に活動量計「歩数のみ表示」をＰＣに接続し、専用アプリケーションからのダウンロードで行う。研究者は、収集した歩数データに基づいて被験者の健康診断を行う。
【００５４】
実験（１）（２）の健康診断の結果及び歩数データを基に、研究者は生活習慣病にウォーキングが有効であるかどうか、被験者が健康になったかを研究することができる。
【００５５】
そのような実験（１）（２）に係る活動量計におけるフロー図を図１２に示す。まずＳＴ１においては、ＰＣより表示設定命令を受信し、ＳＴ２において、その表示設定命令を判定する。この判定の結果、歩数のみ表示モード指定の場合は、ＳＴ３において歩数のみ表示モードとし、時計のみ表示モード指定の場合は、ＳＴ４において時計のみ表示モードとする。
【００５６】
次のＳＴ５においては、最初に時計のみ表示モード〔実験（１）〕の活動量計を装着し、続いて歩数のみ表示モード〔実験（２）〕の活動量計を装着した被験者が、日常生活を過ごす間の歩数を計測する。各実験（１）（２）の過程で、ＳＴ６において、活動量計の表示モードを判定する。この判定の結果、歩数のみ表示モードの場合（活動量計「歩数のみ表示」を装着した実験（２）の場合）は、ＳＴ７において、計測した歩数を活動量計の表示部に表示し、ＳＴ５に戻って、日常生活での歩数の計測及び表示を継続する。時計のみ表示モードの場合（活動量計「時計のみ表示」を装着した実験（１）の場合）は、ＳＴ８において、計測した歩数は活動量計の表示部に表示せず、ＳＴ５に戻って、日常生活での歩数の計測及び非表示を継続する。
〔実施例２〕
この実施例２では、時間、比較により自動表示変更する場合について説明する。時間、比較により自動表示変更するのは、例えば被験者の生活習慣病予防のために行う。この場合、普段の生活の歩数を計測する実験（１）と意識的に歩数を上げて生活させる実験（２）を実施する。実験（１）（２）の結果を基に、歩数を上げることによって生活習慣病にウォーキングの効果があるか研究する。
【００５７】
この場合も、実施例１と同様の問題が生じる。すなわち、実験（１）において、歩数が常時表示される通常の歩数計を持たせると、被験者は歩数計に表示される歩数を意識し、歩数を増やそうと努力することで、普段の生活における歩数が正しく計測できない可能性がある。反対に、実験（２）において、歩数が表示されない歩数計であれば、歩数が分からないことでモチベーションが高まらず（又は維持し難く）、被験者に意識的に歩数を増やしてもらうのが難しくなってくる。
【００５８】
そのような問題に加えて、上記実施例１の場合は、実験（１）（２）の間で活動量計の表示の再設定が必要になる。すなわち、同一の活動量計において、最初に実験（１）用に「時計のみ表示」に設定しても、次の実験（２）用に「歩数のみ表示」に設定し直す必要がある。
【００５９】
また、実験（２）の期間が長い場合は、被験者のモチベーションが下がる可能性がある。つまり、意識的に歩数を上げて生活させる場合、短期間であるとモチベーションを維持することが比較的容易であるが、長期間であると被験者の目的意識や動機付けが堅固でないとモチベーションが徐々に低下してしまい易い。
【００６０】
そこで、上記の通り、この実施形態の活動量計では、被験者には操作できない、自動で表示項目の制限を解除する機能を設けてある。つまり、表示項目を特定することに意義がある。例えば、自動で表示項目の制限を解除する機能は、一定時間によるものである。この場合は、活動量計の表示項目を再設定する手間を省略できる。また、自動で表示項目の制限を解除する機能は、運動量の比較によるものである。この場合は、被験者のモチベーションを保つことができる。
【００６１】
具体的には、実験（１）（２）を行うため研究者は活動量計の表示部の表示項目を制限する。制限の仕方は、前記したように活動量計をＰＣに接続し、専用アプリケーションから行う。一例として、表示項目の時間設定を「１週間目：時計のみ表示」「２週間目：歩数のみ表示」に設定する。また、表示項目の比較設定を「歩数１０万歩超えた時：カロリー表示」に設定する。併せて、被験者の健康診断を行う。
【００６２】
上記時間設定及び比較設定した活動量計を被験者に配布する。被験者は或る一定期間（例えば１週間）、歩数表示の出ない（時計のみ表示の）活動量計を装着し、普段の生活を過ごす〔実験（１）〕。１週間経過後、活動量計の時間設定が有効になり、活動量計に１週間分の歩数が表示される。これまでの実験（１）に対して今度は、被験者は歩数が表示されることによって、意識的に歩数を増やした生活を過ごす〔実験（２）〕。
【００６３】
その生活中に被験者の総歩数が１０万歩を越えた時、活動量計の比較設定が有効になり、活動量計に総歩数とともに１０万歩分の消費カロリーも表示されるようになる。この時点から歩数と消費カロリーを見ることができ、意識的に歩数を増やすように努めるモチベーションを維持できる。
【００６４】
実験期間終了後、研究者は被験者から活動量計を回収し、歩数データを収集する。データ収集方法は、活動量計をＰＣに接続し、専用アプリケーションからのダウンロードで行う。研究者は、収集した歩数データに基づいて被験者の健康診断を行う。
【００６５】
実験開始前と実験終了後の健康診断の結果及び歩数データを基に、研究者は生活習慣病にウォーキングが有効であるかどうか、被験者が健康になったかを研究することができる。
【００６６】
そのような実験（１）（２）に係る活動量計におけるフロー図を図１３、図１４に示す。まずＳＴ１１においては、ＰＣより表示設定命令を受信し、ＳＴ１２において、その表示設定命令を判定する。この判定の結果、歩数のみ表示モード指定の場合は、ＳＴ１３において歩数のみ表示モードとし、時計のみ表示モード指定の場合は、ＳＴ１４において時計のみ表示モードとする。
【００６７】
時計のみ表示モードでは、次にＳＴ１５において、時間設定命令があるか判定し、時間設定命令なしの場合は、ＳＴ１６において時間設定なしとし、時間設定命令があり、その時間設定が１週間後指定の場合は、ＳＴ１７において、１週間後に時計のみ表示モードを解除することとする。
【００６８】
時計のみ表示モードでは、更にＳＴ１８において、比較設定命令があるか判定し、比較設定命令なしの場合は、ＳＴ１９において比較設定なしとし、比較設定命令がある場合は、ＳＴ２０において、１０万歩以上でカロリー（消費カロリー）を表示することとする。
【００６９】
上記の設定により、歩数のみ表示モードでは歩数を常時表示する。時計のみ表示モードで、時間設定及び比較設定がない場合は、測定結果は常時何も表示しない（時計のみ常時表示する）。時計のみ表示モードで、時間設定のみがある場合は、上例では１週間後に時計のみ表示モードを解除するので（歩数のみ表示モードとなるので）、解除後は歩数を表示する。時計のみ表示モードで、比較設定のみがある場合は、上例では歩数が１０万歩以上になるとカロリーを表示するので、それ以降は歩数とカロリーを表示する。時計のみ表示モードで、時間設定及び比較設定がある場合は、１週間後に歩数を表示するとともに、１０万歩以上になるとカロリーも表示する。
【００７０】
そのような各設定された活動量計において、ＳＴ２１において、時計処理を行う。そして、ＳＴ２２においては、上記各設定された活動量計を装着した被験者が、それぞれ日常生活を過ごす間の歩数を計測する。歩数計測後は、ＳＴ２３において、その歩数等に基づいてカロリーを演算する。
【００７１】
ＳＴ２４においては、時間設定があるか判定し、ある場合はＳＴ２５において、計測開始から１週間が経過したか判定し、経過したときはＳＴ２６において、時計のみ表示モードを解除して歩数のみ表示モードとする。
【００７２】
ＳＴ２７においては、比較設定があるか判定し、ある場合はＳＴ２８において、歩数が１０万歩に達したか判定し、そうであるならＳＴ２９において、カロリー表示モードとする。
【００７３】
ＳＴ３０においては、現在の表示モードを判定する。判定の結果、歩数のみ表示モードの場合は、ＳＴ３１において歩数を表示し、カロリー表示モードの場合は、ＳＴ３２において歩数とカロリーを表示し、時計のみ表示モードの場合は、ＳＴ３３において測定結果は何も表示しない（時計のみ表示する）。
【００７４】
その後、ＳＴ２１の時計処理、ＳＴ２２の歩数計測、ＳＴ２３のカロリー演算を継続し、ＳＴ２１〜ＳＴ３３の処理を繰り返し、各モードに応じて測定結果の表示・非表示を行う。
【００７５】
上記実施形態で示した時間設定及び比較設定は一例であり、この他にも種々の態様がある。例えば、上記実施形態では、時間設定として１週間経過後に歩数のみ表示モードに変更することとしているが、特定の曜日になると表示項目を制限又は制限解除する、特定の時間帯（朝、昼、夜）になると表示項目を制限又は制限解除する、などでもよい。
【００７６】
また、比較設定として１０万歩以上になるとカロリー表示をすることとしているが、１日の活動量が一定値を越えないと表示項目を制限又は制限解除するでもよい。
【００７７】
或いは、使用者の活動により（歩行が多い、オフィスワークが多いなどにより）、又は使用者の身体情報（年齢、性別、身長、体重など）により、表示項目を制限又は制限解除しても構わない。
【図面の簡単な説明】
【００７８】
【図１】実施形態に係る活動量計の構成を示すブロック図である。
【図２】同活動量計において、通信部と外部機器により表示項目特定手段を構成する場合のシステムの一例を示す図である。
【図３】同活動量計において、通信部と携帯電話により表示項目特定手段を構成する場合のシステムの一例を示す図である。
【図４】同活動量計において、表示部の表示項目を歩数だけとする場合を説明するための図である。
【図５】同活動量計において、表示部の表示項目を何も見せない場合（時刻のみ表示する場合）を説明するための図である。
【図６】同活動量計において、表示部の表示項目を歩数と消費カロリーだけとする場合を説明するための図である。
【図７】同活動量計において、操作部の通常操作と異なる特殊な操作により、表示部の表示項目を特定する場合（歩数のみを表示する場合）を説明するための図である。
【図８】同活動量計において、複数の臨床プロトコルの各々に対応するよう表示部の表示項目をそれぞれ特定した場合を説明するための図である。
【図９】同活動量計において、ＰＣとの通信により表示部の表示項目を特定する場合の仕方について説明するための図であり、ＰＣと活動量計との接続を示す図（ａ）、及びＰＣの画面でのアプリケーションの操作を説明する図（ｂ）である。
【図１０】図９に続く説明図であり、ＰＣの活動量計設定画面を示す図である。
【図１１】図１０に続く説明図であり、設定実行ボタン操作後のＰＣの画面を示す図（ａ）、及び活動量計をＵＳＢケーブルから外した後の活動量計の表示部の表示項目を示す図（ｂ）である。
【図１２】同活動量計において、歩数の表示を制限する場合のフロー図である。
【図１３】同活動量計において、時間、比較により自動表示変更する場合のフロー図である。
【図１４】図１３に続くフロー図である。
【符号の説明】
【００７９】
１            活動量計
２            表示部（表示手段）
３〜５        スイッチ
６            操作部（操作手段）
１０          ＣＰＵ
１１          演算回路
１５          加速度検出部
１７          通信部
２０          ＵＳＢケーブル
３０，５０    インターネット
３１〜３３    外部機器
ＰＣ          パーソナルコンピュータ
【図１】
2009180503.tif 000003
【図２】
2009180503.tif 000004
【図３】
2009180503.tif 000005
【図４】
2009180503.tif 000006
【図５】
2009180503.tif 000007
【図６】
2009180503.tif 000008
【図７】
2009180503.tif 000009
【図８】
2009180503.tif 000010
【図９】
2009180503.tif 000011
【図１０】
2009180503.tif 000012
【図１１】
2009180503.tif 000013
【図１２】
2009180503.tif 000014
【図１３】
2009180503.tif 000015
【図１４】
2009180503.tif 000016